(57)【要約】【課題】マルチメディア放送／同報サービス計数方法及びシステムを提供する。【解決手段】該方法は、基地局がネットワーク側から送信されたマルチメディア放送及び同報サービス（ＭＢＭＳ）計数指示情報を受信した後、エアーインターフェースを介してユーザ機器（ＵＥ）に前記ＭＢＭＳ計数指示情報を送信し、前記基地局は受信したＵＥから報告されたＭＢＭＳ計数結果に基づいて、ネットワーク側にＭＢＭＳの計数情報を報告することを含む。本発明によると、当該方法を実現するマルチメディア放送及び同報サービス計数システムを提供する。本発明によると、ＭＢＭＳに対し対応する統計を即時且つ正確に行なうことができ、ネットワーク側が現在のＭＢＭＳの応用状況を即時且つ正確に把握でき、ネットワーク側によるＭＢＭＳについての配置に便利である。【選択図】図３
2013543679.tif 000002
【特許請求の範囲】
【請求項１】
基地局は、ネットワーク側から送信されたマルチメディア放送及び同報サービスＭＢＭＳ計数指示情報を受信した後、エアーインターフェースを介してユーザ機器ＵＥに前記ＭＢＭＳ計数指示情報を送信し、
前記基地局は受信したＵＥから報告されたＭＢＭＳ計数結果に基づいて、ネットワーク側にＭＢＭＳの計数情報を報告することを含むことを特徴とするマルチメディア放送／同報サービス計数方法。
【請求項２】
前記基地局がネットワーク側のＭＢＭＳ計数指示情報を受信することは、
前記基地局がＭ２インターフェースで前記ネットワーク側から送信されたＭＢＭＳ計数プロセスを開始するための要求メッセージを受信し、前記ネットワーク側に前記要求メッセージの確認又は失敗メッセージを送信することであることを特徴とする請求項１に記載の方法。
【請求項３】
前記基地局がネットワーク側のＭＢＭＳ計数指示情報を受信することは、
前記ネットワーク側がＭ２インターフェースを介して、基地局に計数開始ＭＢＭＳ  Ｃｏｕｎｔｉｎｇ  Ｉｎｉｔｉａｔｉｏｎ情報を送信することであり、中には、前記ＭＢＭＳ  Ｃｏｕｎｔｉｎｇ  Ｉｎｉｔｉａｔｉｏｎ情報がＭＢＭＳリストと、開始時間、継続時間、間隔時間、重複回数の中の少なくとも一つと、を含むことであることを特徴とする請求項１又は２に記載の方法。
【請求項４】
前記基地局がネットワーク側のＭＢＭＳ計数指示情報を受信することは、
前記ネットワーク側が、ＭＢＭＳリストと、開始時間、継続時間、報告時間の中の少なくとも一つと、を含むＭＢＭＳ  Ｃｏｕｎｔｉｎｇ  Ｉｎｉｔｉａｔｉｏｎ情報を基地局に送信することであることを特徴とする請求項１又は２に記載の方法。
【請求項５】
前記ＭＢＭＳ  Ｃｏｕｎｔｉｎｇ  Ｉｎｉｔｉａｔｉｏｎ情報が、少なくとも一つのＭＢＭＳに対する一つの計数プロセスを含み、各計数プロセスが少なくとも一つの計数報告プロセスを含むことを特徴とする請求項４に記載の方法。
【請求項６】
前記ＭＢＭＳリストが、少なくとも一つのＭＢＭＳサービスを含むことを特徴とする請求項３乃至５の中のいずれかに記載の方法。
【請求項７】
前記ＭＢＭＳ計数指示情報が、少なくとも一つの計数プロセスを含むことを特徴とする請求項１乃至６の中のいずれかに記載の方法。
【請求項８】
前記ＭＢＭＳ計数指示情報が、二つ以上のＭＢＭＳ計数プロセスを含み、前記ネットワーク側が前記二つ以上のＭＢＭＳ計数プロセス中の実行していないＭＢＭＳ計数プロセスを停止すると確定した場合、基地局に実行していないＭＢＭＳ計数プロセスに対する停止メッセージを送信することを特徴とする請求項７に記載の方法。
【請求項９】
前記ＭＢＭＳ計数指示情報が、二つ以上のＭＢＭＳ計数プロセスを含み、前記ネットワーク側が前記二つ以上のＭＢＭＳ計数プロセス中の実行していないＭＢＭＳ計数プロセスを更新すると確定した場合、基地局に実行していないＭＢＭＳ計数プロセスに対する更新メッセージを送信することを特徴とする請求項７に記載の方法。
【請求項１０】
一つのＭＢＭＳ計数プロセスは、エアーインターフェースの計数プロセスを１回行うことと、基地局が今回の計数結果を報告することと、を含むことを特徴とする請求項７に記載の方法。
【請求項１１】
計数プロセスにおけるＭＢＭＳサービスの数と内容が完全に同一である計数プロセスは同一の計数プロセスであって、同一の計数プロセスに異なるマークを配置することを特徴とする請求項７に記載の方法。
【請求項１２】
基地局に設けられ、ネットワーク側から送信されたＭＢＭＳ計数指示情報を受信し、またＵＥから報告されたＭＢＭＳ計数結果を受信する接收ユニットと、
基地局に設けられ、エアーインターフェースを介してＵＥに前記ＭＢＭＳ計数指示情報を送信する第１の送信ユニットと、
基地局に設けられ、受信したＵＥから報告されたＭＢＭＳ計数結果に基づいて、ネットワーク側にＭＢＭＳの計数情報を報告する報告ユニットと、を含むことを特徴とするマルチメディア放送／同報サービス計数システム。
【請求項１３】
前記ネットワーク側は、Ｍ２インターフェースを介して、ＭＢＭＳリストと、開始時間、継続時間、間隔時間、重複回数の中の少なくとも一つとを含むＭＢＭＳ  Ｃｏｕｎｔｉｎｇ  Ｉｎｉｔｉａｔｉｏｎ情報を基地局に送信することを特徴とする請求項１２に記載のシステム。
【請求項１４】
前記ネットワーク側は、Ｍ２インターフェースを介して、ＭＢＭＳリストと、開始時間、継続時間、報告時間の中の少なくとも一つとを含むＭＢＭＳ  Ｃｏｕｎｔｉｎｇ  Ｉｎｉｔｉａｔｉｏｎ情報を基地局に送信することを特徴とする請求項１２に記載のシステム。
【請求項１５】
前記ＭＢＭＳ  Ｃｏｕｎｔｉｎｇ  Ｉｎｉｔｉａｔｉｏｎ情報が、少なくとも一つのＭＢＭＳに対する一つの計数プロセスを含み、各計数プロセスが少なくとも一つの計数報告プロセスを含むことを特徴とする請求項１４に記載のシステム。
【請求項１６】
前記ＭＢＭＳリストが、少なくとも一つのＭＢＭＳサービスを含み、前記ＭＢＭＳ計数指示情報が、少なくとも一つの計数プロセスを含むことを特徴とする請求項１３乃至１５の中のいずれかに記載のシステム。
【請求項１７】
ネットワーク側に設けられ、ＭＢＭＳ計数指示情報が二つ以上のＭＢＭＳ計数プロセスを含む場合、前記二つ以上のＭＢＭＳ計数プロセス中の実行していないＭＢＭＳ計数プロセスを停止すると確定した時、第２の送信ユニットをトリガーする確定ユニットと、
基地局に実行していないＭＢＭＳ計数プロセスに対する停止メッセージを送信する第２の送信ユニットと、をさらに含むことを特徴とする請求項１６に記載のシステム。
【請求項１８】
前記確定ユニットは、また、ＭＢＭＳ計数指示情報が二つ以上のＭＢＭＳ計数プロセスを含み、前記二つ以上のＭＢＭＳ計数プロセス中の実行していないＭＢＭＳ計数プロセスを更新すると確定した場合、前記第２の送信ユニットをトリガーして基地局に実行していないＭＢＭＳ計数プロセスに対する更新メッセージを送信することを特徴とする請求項１７に記載のシステム。
【発明の詳細な説明】
【技術分野】
【０００１】
本発明は、マルチメディア放送及び同報サービス統計技術に関し、特に、マルチメディア放送及び同報サービス計数方法及びシステムに関する。
【背景技術】
【０００２】
インターネットの発展及びビッグスクリーンの多機能携帯電話の普及に伴って、例えば、テレビ会議、テレビ放送、ビデオオンデマンド、ビデオ広告、ネットワーク教育、インタラクティブゲーム等の大量の移動データのマルチメディアサービス及び各種の高帯域幅のマルチメディアサービスが現れた。このような移動データのマルチメディアサービス及び各種の高帯域幅のマルチメディアサービスは、移動ユーザの絶えずに上昇しているサービス需要を満たすことができると共に、移動事業者に新規のサービス成長点を提示した。これらの移動データのマルチメディアサービス及び各種の高帯域幅のマルチメディアサービスは、複数のユーザが同時に同一のデータを受信できることを必要とし、通常のデータサービスに比べ、データ量が大きく、継続時間が長く、遅延に敏感であるなどの特徴を有している。
【０００３】
移動ネットワークリソースを有効に利用するため、第３世代パートナーシップ・プロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）に、マルチメディア放送及び同報サービス（ＭＢＭＳ、Ｍｕｌｔｉｍｅｄｉａ  Ｂｒｏａｄｃａｓｔ  Ｍｕｌｔｉｃａｓｔ  Ｓｅｒｖｉｃｅ）が提案され、ＭＢＭＳサービスは、一つのデータソースから複数のターゲットにデータを転送する技術で、ネットワーク（コアネットワークとアクセスネットワークを含む）リソースの共有を実現し、ネットワークリソース（特に、エアインターフェースリソース）の利用率を向上させた。３ＧＰＰにより定義されたＭＢＭＳサービスは、低レートのプレーンテキストのメッセージ類の同報および放送を実現できると共に、高レートのマルチメディアサービスの放送及び同報も実現でき、さまざまなビデオ、オーディオ、マルチメディアサービスを提供し、将来の移動データの発展傾向に順応し、第３世代（３Ｇ、３ｒｄ  Ｇｅｎｅｒａｔｉｏｎ）デジタル通信の発展に更なるサービスの将来性を提供した。
【０００４】
現在、長期進化（ＬＴＥ、Ｌｏｎｇ  Ｔｅｒｍ  Ｅｖｏｌｕｔｉｏｎ）バージョン９（Ｒ９）システムに、ＭＢＭＳサービスを導入していて、ＬＴＥバージョン１０（Ｒ１０）において最適化している。ＭＢＭＳサービスは、システムにおいて需要制御シグナル（ＭＢＭＳ制御シグナルとも呼ばれる）とユーザデータ（ＭＢＭＳサービスとも呼ばれる）の共同転送によって実現する。中には、制御シグナルは、受信端（例えば、端末装置、ユーザ機器（ＵＥ、Ｕｓｅｒ  Ｅｑｕｉｐｍｅｎｔ））に対して、対応する制御パラメータを通知し、興味のあるＭＢＭＳサービス（即ち、対応するユーザデータ）を受信するようにＵＥを対応する位置へ案内する。このようなＭＢＭＳ制御シグナル（制御情報、ＭＢＭＳサービスの配置情報等を含む）は、ＬＴＥシステムにおいて同報制御チャネル（ＭＣＣＨ、Ｍｕｌｔｉｃａｓｔ  Ｃｏｎｔｒｏｌ  Ｃｈａｎｎｅｌ）により転送され、ＭＢＭＳサービスは同報サービスチャネル（ＭＴＣＨ、Ｍｕｌｔｉｃａｓｔ  Ｔｒａｆｆｉｃ  Ｃｈａｎｎｅｌ）により転送される。
【０００５】
具体的に、論理チャネルＭＣＣＨで転送されるＭＢＭＳ制御シグナル（即ち、ＭＣＣＨ情報）は、主に、ＭＣＣＨ情報に対応する同報単一周波数ネットワーク（ＭＢＳＦＮ、ＭＢＭＳ  ｏｖｅｒ  ａ  Ｓｉｎｇｌｅ  Ｆｒｅｑｕｅｎｃｙ  Ｎｅｔｗｏｒｋ）エリアの同報リソースと、当該ＭＢＳＦＮエリアにおける送信中（ｏｎｇｏｉｎｇ）のＭＢＭＳサービス（又は、既に開始されたＭＢＭＳサービス、又は既にｓｅｓｓｉｏｎ  ｓｔａｒｔしたＭＢＭＳサービスとも呼ばれる）と、ｏｎｇｏｉｎｇ  ＭＢＭＳサービスの配置及び属性情報と、を含み、論理チャネルＭＴＣＨにＭＢＭＳサービスデータを載せている。通常、ＭＢＭＳサービスをＭＴＣＨに対応させ、例えば、ＭＢＭＳサービス１をＭＴＣＨ１に対応させ、ＭＢＭＳサービス２をＭＴＣＨ２に対応させ、つまり、ＵＥがＭＢＭＳサービスを読み取ることとＵＥがＭＴＣＨを読み取ることは同じ意味を表する。ネットワークにおいて、ＭＢＭＳサービスは、一時的移動体グループ識別子（ＴＭＧＩ、Ｔｅｍｐｏｒａｒｙ  Ｍｏｂｉｌｅ  Ｇｒｏｕｐ  Ｉｄｅｎｔｉｔｙ）を使用して唯一に表記され、ネットワーク側とＵＥが便利に識別できるように、各ＭＢＭＳサービスはそれぞれ対応するＴＭＧＩを有している。
【０００６】
中には、ＭＢＳＦＮ  ａｒｅａに対応するＭＣＣＨ情報は、一定の法則（重複周期、修正周期）に従って送信され、具体的に、図１に示すとおりである。図１は、既存技術におけるＭＢＳＦＮ  ａｒｅａのＭＣＣＨ情報の送信を示す図である。図１に示すように、ＭＣＣＨ情報は、修正周期内において、１回又は複数回重複に送信され（図１において３回送信される）、ＭＣＣＨ情報が重複送信される間の時間間隔が、ＭＣＣＨ重複周期と呼ばれる。通常、ＭＣＣＨの修正周期内におけるＭＣＣＨ情報の１回目の送信を初回送信と称し、各重複周期の送信をＭＣＣＨ情報の重複送信と称し、重複送信されるＭＣＣＨ情報と初回送信されるＭＣＣＨ情報の内容は完全に同一である。ＭＣＣＨの修正周期は、異なるＭＣＣＨの修正周期において送信されるＭＣＣＨ情報の内容が異なってもよいことを示す。例えば、図１におけるＭＣＣＨの修正周期であるｎ＋１周期の内容は、ｎ周期の内容と異なっている（図１において、斜線四角型と空白四角型によってＭＣＣＨ情報の異なる内容を示した）。ここで、ＭＣＣＨの修正周期において、ＭＣＣＨ情報の内容は変更できず、ただ、重複周期に従って重複送信するしかできない。ＭＣＣＨ情報の内容は、ＭＣＣＨの修正周期の開始の境界箇所でしか変更できない。つまり、ＭＣＣＨの修正周期においてＭＣＣＨ情報を第１回に送信する際（ＭＣＣＨ変化時間（ＭＣＣＨ  ｃｈａｎｇｅ  ｔｉｍｅ）とも呼ばれる）のみにＭＣＣＨ情報の変更が可能である。このように規定することによって、ＭＣＣＨ情報のＭＢＳＦＮ  ａｒｅａにおける（マルチｅＮＢからの）送信の一致性を保証できる。
【０００７】
ＭＣＣＨの重複周期と修正周期の配置パラメータは、いずれもネットワーク側から配置され、ネットワーク側は、ＢＣＣＨにおけるシステム情報ブロック１３（ＳＩＢ１３、Ｓｙｓｔｅｍ  Ｉｎｆｏｒｍａｔｉｏｎ  Ｂｌｏｃｋ１３）を介してＵＥに送信し、ＵＥは、ＢＣＣＨにおけるＳＩＢ１３を読み取ってＭＣＣＨの重複周期及び修正周期の配置パラメータを獲得できる。ＵＥは、対応する位置でＭＣＣＨ情報を読み取ることができる。
【０００８】
既存技術には、ＭＢＳＦＮ  ａｒｅａにおいて、セル又はｅＮＢを単位にＭＢＳＦＮ技術を利用して制御シグナル及びユーザデータを同期送信（その目的は、ＵＥが受信する時に、対応する合併ゲインを得るようにすることである）する。ＭＢＳＦＮ技術によると、ＭＢＳＦＮ  ａｒｅａ内の各セルが同一の時間周波数リソースで同一のデータ内容を送信しなければならないので、各セルのリソースを統一にスケジューリングして調整する必要がある。現在、マルチセル／同報制御エンティティ（ＭＣＥ、Ｍｕｌｔｉ−ｃｅｌｌ／ｍｕｌｔｉｃａｓｔ  Ｃｏｏｒｄｉｎａｔｉｏｎ  Ｅｎｔｉｔｙ）であるネットワーク要素によって無線リソースを統一にスケジューリング・調整し、具体的には、国際標準３ＧＰＰ  ３６．３００  ｖ９１０を参照することができる。
【０００９】
図２は、既存技術における長期進化（ＬＴＥ、Ｌｏｎｇ  Ｔｅｒｍ  Ｅｖｏｌｕｔｉｏｎ）システムのＭＢＭＳ構造を示す図であり、図２に示すように、既存のＬＴＥシステムにおいて、ＭＢＭＳに関連するネットワーク要素は、ｅＮＢと、ＭＣＥと、ＭＢＭＳゲートウェイ（ＭＢＭＳ  ｇａｔｅｗａｙ）と、放送同報サービスセンター（ＢＭ−ＳＣ、Ｂｒｏａｄｃａｓｔ  Ｍｕｌｔｉｃａｓｔ  Ｓｅｒｖｉｃｅ  Ｃｅｎｔｒｅ）と、移動性管理ユニット（ＭＭＥ、Ｍｏｂｉｌｉｔｙ  Ｍａｎａｇｅｍｅｎｔ  Ｅｎｔｉｔｙ）とを含み、中には、ＢＭ−ＳＣは、サービスのスタート（Ｓｅｓｓｉｏｎ  ｓｔａｒｔ）、サービスの停止（Ｓｅｓｓｉｏｎ  ｓｔｏｐ）、サービスの更新（Ｓｅｓｓｉｏｎ  Ｕｐｄａｔｅｄ）、又はＭＢＭＳサービスのデータを提供するネットワーク要素である。ＭＢＭＳ  ＧＷは、ＭＢＭＳサービスデータをＭ１インターフェースを介して対応するｅＮＢに送信する。ＭＢＭＳ  ＧＷは、Ｓｍインターフェースを介してＢＭ−ＳＣにより生成された制御パネル情報（例えば、Ｓｅｓｓｉｏｎ  ｓｔａｒｔ  Ｒｅｑｕｅｓｔ  ｍｅｓｓａｇｅ、Ｓｅｓｓｉｏｎ  ｓｔｏｐ  Ｒｅｑｕｅｓｔ  ｍｅｓｓａｇｅ、Ｓｅｓｓｉｏｎ  Ｕｐｄａｔｅｄ  Ｒｅｑｕｅｓｔ  ｍｅｓｓａｇｅ）をＭＭＥに送信する。ＭＭＥは、伝送ネットワーク要素として、ＭＢＭＳ  ＧＷから送信された制御パネル情報をＭ３インターフェースを介してＭＣＥに送信し、ＭＣＥは、対応する制御パネル情報をＭ２インターフェースを介して対応するｅＮＢに送信し、このような処理を経て、ｅＮＢは、ＭＢＭＳサービスデータ及び対応する制御パネル情報を取得する。通常、ＭＣＥがＭ２インターフェースを介してｅＮＢに送信する制御パネル情報は、セッション開始要求メッセージ（Ｓｅｓｓｉｏｎ  ｔｏｐ  Ｒｅｑｕｅｓｔ  ｍｅｓｓａｇｅ）と、セッション停止要求メッセージ（Ｓｅｓｓｉｏｎ  ｔｏｐ  Ｒｅｑｕｅｓｔ  ｍｅｓｓａｇｅ）と、セッション更新要求メッセージ（Ｓｅｓｓｉｏｎ  Ｕｐｄａｔｅｄ  Ｒｅｑｕｅｓｔ  ｍｅｓｓａｇｅ）と、ＭＢＭＳスケジューリングメッセージ（ＭＢＭＳ  Ｓｃｈｅｄｕｌｉｎｇ  Ｉｎｆｏｒｍａｔｉｏｎ  ｍｅｓｓａｇｅ）と、リセットメッセージ（Ｒｅｓｔ  ｍｅｓｓａｇｅ）と、Ｍ２確立要求メッセージ（Ｍ２  ＳＥＴＵＰ  Ｒｅｑｕｅｓｔ  ｍｅｓｓａｇｅ）と、ｅＮＢがＭ２インターフェースを介してＭＣＥに送信する対応するメッセージ（例えば、セッション開始応答メッセージ（Ｓｅｓｓｉｏｎ  ｓｔａｒｔ  ｒｅｓｐｏｎｓｅ  ｍｅｓｓａｇｅ）、セッション停止応答メッセージ（Ｓｅｓｓｉｏｎ  ｓｔｏｐ  ｒｅｓｐｏｎｓｅ  ｍｅｓｓａｇｅ）、セッション更新応答メッセージ（Ｓｅｓｓｉｏｎ  Ｕｐｄａｔｅｄ  ｒｅｓｐｏｎｓｅ  ｍｅｓｓａｇｅ）、ＭＢＭＳスケジューリング応答メッセージ（ＭＢＭＳ  Ｓｃｈｅｄｕｌｉｎｇ  Ｉｎｆｏｒｍａｔｉｏｎ  ｒｅｓｐｏｎｓｅ  ｍｅｓｓａｇｅ）、リセット確認メッセージ（Ｒｅｓｔ  ａｃｋｎｏｗｌｅｄｇｅ  ｍｅｓｓａｇｅ）、Ｍ２インターフェース確立応答メッセージ（Ｍ２  ＳＥＴＵＰ  ｒｅｓｐｏｎｓｅ  ｍｅｓｓａｇｅ）等）とを含む。上記ＭＣＥとｅＮＢ間のシグナル又はプロセスは、Ｍ２インターフェースに載せられ、Ｍ２応用プロトコル、即ち、Ｍ２  Ａｐｐｌｉｃａｔｉｏｎ  Ｐｒｏｔｏｃｏｌ  （Ｍ２ＡＰ）と呼ばれる。
【００１０】
上述のように、ＭＢＭＳサービスは、ＭＢＳＦＮエリア全体において送信される。ＭＢＭＳサービスの送信をさらに最適化するため、ＵＥアップリンクフィードバックメカニズムを導入し、具体的に、アップリンクフィードバックメカニズムは、主に、以下の場合に適用される。即ち、ネットワーク側が各ＭＢＭＳサービスに興味のある／受信中のユーザ数（又はＵＥ数量）を取得し、ネットワーク側がユーザ数を取得することによってＭＢＭＳサービスの送信を最適化する。例えば、興味のある／受信中のユーザ数の少ないＭＢＭＳサービスを非アクティブにし（ｄｅａｃｔｉｖａｔｉｏｎ、又は非送信とも呼ばれる）、興味のある／受信中のユーザ数が多いＭＢＭＳサービスをアクティブにする（ａｃｔｉｖａｔｉｏｎ、又は送信とも呼ばれる）。ネットワーク側は、ＭＢＭＳサービスに興味のある／受信中のＵＥ数量（又はあり／なし）を獲得するため、ｃｏｕｎｔｉｎｇコマンド（計数コマンド）を送信して、当該ＭＢＭＳサービスに興味のある／受信中のＵＥにアップリンクフィードバックし、当該ＵＥの現在ＭＢＭＳの受信状態を通知するようにする。ネットワーク側は、アップリンクフィードバックによって取得した情報（即ち、あるＭＢＭＳに対し興味のある／受信中のＵＥ数）を、当該ＭＢＭＳサービスをアクティブ（ａｃｔｉｖａｔｉｏｎ）又は非アクティブ（ｄｅａｃｔｉｖａｔｉｏｎ）にする操作に用いることができ、つまり、ネットワーク側はアップリンクフィードバックによって取得した情報に基づいて当該ＭＢＭＳサービスをエアインターフェースで送信するか（ａｃｔｉｖａｔｉｏｎ）否か（ｄｅａｃｔｉｖａｔｉｏｎ）を確定することができる。
【００１１】
しかし、ＵＥがエアインターフェースで（ＵＥからｅＮＢへ）興味のある／受信中のＭＢＭＳサービスをｅＮＢに報告した後、ネットワーク側が、如何に、受信した報告情報に基づいてＭＢＭＳサービスに対してアクティブ／非アクティブ制御を行うかについて、既存技術には、実現できる方法を提示していない。
【発明の概要】
【発明が解決しようとする課題】
【００１２】
本発明は、現在のＭＢＭＳサービスを受信しているＵＥの状況を即時且つ正確に統計することのできるマルチメディア放送／同報サービス計数方法及びシステムを提供することをその目的とする。
【課題を解決するための手段】
【００１３】
上記目的を実現するため、本発明の技術案は以下のように実現できる。
基地局は、ネットワーク側から送信されたＭＢＭＳ計数指示情報を受信した後、エアーインターフェースを介してＵＥに前記ＭＢＭＳ計数指示情報を送信し、
前記基地局は受信したＵＥから報告されたＭＢＭＳ計数結果に基づいて、ネットワーク側にＭＢＭＳの計数情報を報告することを含むマルチメディア放送／同報サービス計数方法を提供する。
【００１４】
前記基地局がネットワーク側のＭＢＭＳ計数指示情報を受信することは、
前記基地局がＭ２インターフェースで前記ネットワーク側から送信されたＭＢＭＳ計数プロセスを開始するための要求メッセージ受信し、前記ネットワーク側に前記要求メッセージの確認又は失敗メッセージを送信することを含むことが好ましい。
【００１５】
前記基地局がネットワーク側のＭＢＭＳ計数指示情報を受信することは、具体的に、
前記ネットワーク側がＭ２インターフェースを介して基地局にＭＢＭＳ  Ｃｏｕｎｔｉｎｇ  Ｉｎｉｔｉａｔｉｏｎ情報を送信することであって、前記ＭＢＭＳ  Ｃｏｕｎｔｉｎｇ  Ｉｎｉｔｉａｔｉｏｎ情報が、ＭＢＭＳリストと、開始時間、継続時間、間隔時間、重複回数の中の少なくとも一つと、を含むことが好ましい。
【００１６】
前記基地局がネットワーク側のＭＢＭＳ計数指示情報を受信することは、具体的に、
前記ネットワーク側が基地局にＭＢＭＳ  Ｃｏｕｎｔｉｎｇ  Ｉｎｉｔｉａｔｉｏｎ情報を送信することで、前記ＭＢＭＳ  Ｃｏｕｎｔｉｎｇ  Ｉｎｉｔｉａｔｉｏｎ情報が、ＭＢＭＳリストと、開始時間、継続時間、報告時間の中の少なくとも一つと、を含むことが好ましい。
【００１７】
前記ＭＢＭＳ  Ｃｏｕｎｔｉｎｇ  Ｉｎｉｔｉａｔｉｏｎ情報が、少なくとも一つのＭＢＭＳに対する一つの計数プロセスを含み、各計数プロセスが少なくとも一つの計数報告プロセスを含むことが好ましい。
【００１８】
前記ＭＢＭＳリストが、少なくとも一つのＭＢＭＳサービスを含むことが好ましい。
【００１９】
前記ＭＢＭＳ計数指示情報が、少なくとも一つの計数プロセスを含むことが好ましい。
【００２０】
前記ＭＢＭＳ計数指示情報が、二つ以上のＭＢＭＳ計数プロセスを含み、前記ネットワーク側が前記二つ以上のＭＢＭＳ計数プロセス中の実行していないＭＢＭＳ計数プロセスを停止すると確定した場合、基地局に実行していないＭＢＭＳ計数プロセスに対する停止メッセージを送信することが好ましい。
【００２１】
前記ＭＢＭＳ計数指示情報が、二つ以上のＭＢＭＳ計数プロセスを含み、前記ネットワーク側が前記二つ以上のＭＢＭＳ計数プロセス中の実行していないＭＢＭＳ計数プロセスを更新すると確定した場合、基地局に実行していないＭＢＭＳ計数プロセスに対する更新メッセージを送信することが好ましい。
【００２２】
一つのＭＢＭＳ計数プロセスは、エアーインターフェースの計数プロセスを１回行うことと、基地局が今回の計数結果を報告することと、を含むことが好ましい。
【００２３】
計数プロセスにおけるＭＢＭＳサービスの数量と内容が完全に同一である計数プロセスは同一の計数プロセスであって、同一の計数プロセスに異なるマークを設けることが好ましい。
【００２４】
基地局に設けられ、ネットワーク側から送信されたＭＢＭＳ計数指示情報を受信し、ＵＥから報告されたＭＢＭＳ計数結果を受信する接收ユニットと、
基地局に設けられ、エアーインターフェースを介してＵＥに前記ＭＢＭＳ計数指示情報を送信する第１の送信ユニットと、
基地局に設けられ、受信したＵＥから報告されたＭＢＭＳ計数結果に基づいて、ネットワーク側にＭＢＭＳの計数情報を報告する報告ユニットと、を含むマルチメディア放送／同報サービス計数システムを提供する。
【００２５】
前記ネットワーク側は、Ｍ２インターフェースを介して基地局にＭＢＭＳ  Ｃｏｕｎｔｉｎｇ  Ｉｎｉｔｉａｔｉｏｎ情報を送信し、前記ＭＢＭＳ  Ｃｏｕｎｔｉｎｇ  Ｉｎｉｔｉａｔｉｏｎ情報は、ＭＢＭＳリストと、開始時間、継続時間、間隔時間、重複回数の中の少なくとも一つと、を含むことが好ましい。
【００２６】
前記ネットワーク側は、Ｍ２インターフェースを介して基地局にＭＢＭＳ  Ｃｏｕｎｔｉｎｇ  Ｉｎｉｔｉａｔｉｏｎ情報を送信し、前記ＭＢＭＳ  Ｃｏｕｎｔｉｎｇ  Ｉｎｉｔｉａｔｉｏｎ情報は、ＭＢＭＳリストと、開始時間、継続時間、報告時間の中の少なくとも一つと、を含むことが好ましい。
【００２７】
前記ＭＢＭＳ  Ｃｏｕｎｔｉｎｇ  Ｉｎｉｔｉａｔｉｏｎ情報は、少なくとも一つのＭＢＭＳに対する一つの計数プロセスを含み、各計数プロセスは少なくとも一つの計数報告プロセスを含むことが好ましい。
【００２８】
前記ＭＢＭＳリストが、少なくとも、一つのＭＢＭＳサービスを含み、前記ＭＢＭＳ計数指示情報が、少なくとも一つの計数プロセスを含むことが好ましい。
【００２９】
前記システムが、ＭＢＭＳ計数指示情報が二つ以上のＭＢＭＳ計数プロセスを含む場合、前記二つ以上のＭＢＭＳ計数プロセス中の実行していないＭＢＭＳ計数プロセスを停止すると確定した時、第２の送信ユニットをトリガーする確定ユニットと、
基地局に実行していないＭＢＭＳ計数プロセスに対する停止メッセージを送信する第２の送信ユニットと、をさらに含むことが好ましい。
【００３０】
前記確定ユニットは、さらに、ＭＢＭＳ計数指示情報が二つ以上のＭＢＭＳ計数プロセスを含み、前記二つ以上のＭＢＭＳ計数プロセス中の実行していないＭＢＭＳ計数プロセスを更新すると確定した場合、前記第２の送信ユニットをトリガーして基地局に実行していないＭＢＭＳ計数プロセスに対する更新メッセージを送信することが好ましい。
【発明の効果】
【００３１】
本発明によると、ネットワーク側がＭＢＭＳサービスについて現在受信中のＵＥ数量等の統計を行う必要があると確定した場合、ネットワーク側がＭＣＥにＭＢＭＳ計数開始情報を送信し、ＭＣＥはＭ２インターフェースを介して基地局にＭＢＭＳ計数開始情報を送信し、基地局はネットワーク側から送信されたＭＢＭＳ計数指示情報を受信した後、エアーインターフェースを介してＵＥにＭＢＭＳ計数指示情報を送信し、ＭＢＭＳ計数指示情報を受信したＵＥは、指示情報に基づいて統計結果を報告し、例えば、ＭＢＭＳサービスを受信中のＵＥ数量を統計する場合、ＵＥが現在当該ＭＢＭＳサービスを受信していると、自分の情報を報告し、基地局は受信したＵＥから報告されたＭＢＭＳ計数結果に基づいて、ネットワーク側にＭＢＭＳの計数情報を報告する。本発明によると、ＭＢＭＳに対し対応する統計を即時且つ正確に行なうことができ、ネットワーク側が現在のＭＢＭＳの応用状況を即時且つ正確に把握でき、ネットワーク側によるＭＢＭＳについての配置に便利である。
【図面の簡単な説明】
【００３２】
【図１】は、既存技術におけるＭＢＳＦＮ  ａｒｅａのＭＣＣＨ情報の送信を示す図である。
【図２】は、既存技術におけるＬＴＥシステムのＭＢＭＳ構造を示す図である。
【図３】は、本発明に係わるＭ２インターフェースでのＭＢＭＳ  ｃｏｕｎｔｉｎｇ開始を示すフローチャートである。
【図４】は、本発明に係わるＵｕインターフェースでのｃｏｕｎｔｉｎｇ結果の報告を示すフローチャートである。
【図５】は、本発明に係わるＭ２インターフェースでのｃｏｕｎｔｉｎｇ結果の報告を示すフローチャートである。
【図６】は、本発明に係わるＭ２インターフェースでのｃｏｕｎｔｉｎｇの更新を示すフローチャートである。
【図７】は、本発明に係わるＭ２インターフェースでのｃｏｕｎｔｉｎｇの停止を示すフローチャートである。
【図８】は、本発明に係わるＭＢＭＳ  Ｃｏｕｎｔｉｎｇ  Ｉｎｉｔｉａｔｉｏｎ情報の送信を示す図である。
【図９】は、本発明に係わるマルチメディア放送／同報サービス計数システムの構成を示す図である。
【発明を実施するための形態】
【００３３】
本発明の基本思想は、以下の通りである。ネットワーク側がＭＢＭＳサービスに対して例えば現在受信中のＵＥ数などの統計を行う必要があると確定した場合、ネットワーク側によりＭＣＥにＭＢＭＳ計数開始情報を送信し、ＭＣＥはＭ２インターフェースを介して基地局にＭＢＭＳ計数開始情報を送信し、基地局はネットワーク側から送信されたＭＢＭＳ計数指示情報を受信した後、エアーインターフェースを介してＵＥにＭＢＭＳ計数指示情報を送信して、ＭＢＭＳ計数指示情報を受信したＵＥは、例えば、ＭＢＭＳサービスを受信中のＵＥ数量を統計する場合、ＵＥが現在当該ＭＢＭＳサービスを受信中であると、自分情報を報告するように、指示情報に基づいて統計結果を報告し、基地局は受信したＵＥから報告されたＭＢＭＳ計数結果に基づいて、ネットワーク側にＭＢＭＳの計数情報を報告する。
【００３４】
本発明の目的、技術案及びメリットをさらに明確化するため、以下、実施例を挙げて図面を参照しながら本発明をさらに詳しく説明する。
【００３５】
まず、ネットワーク側（本発明において、主にＭＣＥとｅＮＢを指す）はＭ２インターフェースにてｃｏｕｎｔｉｎｇを開始するためのプロセス、即ち、Ｍ２  ＭＢＭＳ  Ｃｏｕｎｔｉｎｇ  Ｉｎｉｔｉａｔｉｏｎ  ｐｒｏｃｅｄｕｒｅ（Ｍ２インターフェースでのｃｏｕｎｔｉｎｇ開始プロセス、ＭＢＭＳ  ｃｏｕｎｔｉｎｇ  ｓｔａｒｔ  ｐｒｏｃｅｄｕｒｅとも呼ぶ）をトリガーし、一つ又は複数のｃｏｕｎｔｉｎｇプロセスを配置する。
【００３６】
Ｍ２インターフェースにおけるシグナルオーバーヘッドを節約するために、ｃｏｕｎｔｉｎｇを開始するためのプロセスが、幾つかの同一又は異なるｃｏｕｎｔｉｎｇプロセスを含むことができる。各ｃｏｕｎｔｉｎｇプロセスは、サービスリスト（即ち、計数用のＭＢＭＳのサービスリスト、主にはＭＢＭＳのマーク情報を指す）、開始時間（ｓｔａｒｔ  ｔｉｍｅ）、継続時間（ｄｕｒａｔｉｏｎ  ｔｉｍｅ）、間隔時間（ｉｎｔｅｒｖａｌ  ｔｉｍｅ）、重複回数（ｒｅｐｅｔｉｔｉｏｎ  Ｎｕｍｂｅｒ）の中の一つ又は複数を含むことができる。ｃｏｕｎｔｉｎｇプロセスの重複回数が１を超える場合、当該Ｍ２  ＭＢＭＳ  Ｃｏｕｎｔｉｎｇ  Ｉｎｉｔｉａｔｉｏｎ  ｐｒｏｃｅｄｕｒｅが当該ｃｏｕｎｔｉｎｇプロセスを複数回実行することを要求していることに相当し、複数の同一のｃｏｕｎｔｉｎｇプロセスを配置したことにも相当する。
【００３７】
各ｃｏｕｎｔｉｎｇプロセスにおいて、ｅＮＢが当該ｅＮＢに制御されるセルに上記ＭＢＭＳサービスのｃｏｕｎｔｉｎｇ指示情報を配置するステップ１と、ＵＥが当該ｃｏｕｎｔｉｎｇプロセスにより配置された上記サービスリストからＵＥの興味のある又は受信中のＭＢＭＳサービスを選択してｅＮＢに報告するステップ２と、その後、ｅＮＢが上記サービスリストにおける各サービスについて興味のある又は受信中のＵＥの数量を統計してＭＣＥに報告するステップ３という三つのステップを含まなければならない。つまり、一つのｃｏｕｎｔｉｎｇプロセスは、１回のステップ１と、１回のステップ２と、１回のステップ３を含む。
【００３８】
ステップ１とステップ２は、Ｕｕ  ＭＢＭＳ  ｃｏｕｎｔｉｎｇプロセス（エアーインターフェースＭＢＭＳ  ｃｏｕｎｔｉｎｇプロセス）に対応する。ステップ３はＭ２  ＭＢＭＳ  ｃｏｕｎｔｉｎｇ  Ｒｅｐｏｒｔプロセス（Ｍ２インターフェースのｃｏｕｎｔｉｎｇ結果の報告プロセス）に対応する。つまり、各ｃｏｕｎｔｉｎｇプロセスは、一つのＵｕ  ＭＢＭＳ  ｃｏｕｎｔｉｎｇプロセスとＭ２  ＭＢＭＳ  ｃｏｕｎｔｉｎｇ  Ｒｅｐｏｒｔプロセスを含む。
【００３９】
中には、各ｃｏｕｎｔｉｎｇプロセスが長く維持する可能性があり、又は一つのＭ２インターフェースにおけるｃｏｕｎｔｉｎｇ開始プロセスが複数の同一のｃｏｕｎｔｉｎｇプロセス（例えば、重複回数が５回であるなど）を含む可能性があり、ＭＣＥがｃｏｕｎｔｉｎｇ期間においてｃｏｕｎｔｉｎｇプロセスを更新又は取り消す可能性もある。例えば、ネットワーク側が現在のｃｏｕｎｔｉｎｇプロセスにより、一つ又は複数のＭＢＭＳサービスをアクティブ／非アクティブにする必要があるか否かを判定した場合、ＭＣＥはその後のｃｏｕｎｔｉｎｇプロセスを更新又は取り消す。本発明において、以下のＭ２  ＭＢＭＳ  ｃｏｕｎｔｉｎｇ  Ｕｐｄａｔｅプロセス（Ｍ２インターフェース上のＭＢＭＳ  ｃｏｕｎｔｉｎｇ更新プロセス）とＭ２  ＭＢＭＳ  ｃｏｕｎｔｉｎｇ  Ｓｔｏｐプロセス（Ｍ２インターフェース上のＭＢＭＳ  ｃｏｕｎｔｉｎｇ停止プロセス）によって詳しく説明する。なお、ＭＣＥはＭ２  ＭＢＭＳ  Ｃｏｕｎｔｉｎｇ  Ｉｎｉｔｉａｔｉｏｎプロセスを再びトリガーすることによって幾つかのＭＢＭＳサービスのｃｏｕｎｔｉｎｇを更新又は取り消すこともできる。
【００４０】
実施例１
図３は、本発明に係わるＭ２インターフェースにおけるＭＢＭＳ  ｃｏｕｎｔｉｎｇ開始を示すフローチャートで、図３に示すように、Ｍ２  ＭＢＭＳ  Ｃｏｕｎｔｉｎｇ  Ｉｎｉｔｉａｔｉｏｎ  ｒｏｃｅｄｕｒｅ（Ｍ２インターフェースにおけるｃｏｕｎｔｉｎｇ開始プロセス）は以下のステップを含む。
【００４１】
ＭＣＥは、ｅＮＢにＭＢＭＳ  Ｃｏｕｎｔｉｎｇ  Ｉｎｉｔｉａｔｉｏｎ情報を含むメッセージを送信する（ステップ３０１）。
【００４２】
当該ステップにおいて、ＭＢＭＳ  Ｃｏｕｎｔｉｎｇ  Ｉｎｉｔｉａｔｉｏｎ情報を新たに設定された新メッセージに配置することができ、即ち、本発明の技術案を実現するために、ＭＣＥと基地局との間でＭＢＭＳ計数プロセスを開始するために対応する新メッセージ、例えばＭＢＭＳ  Ｃｏｕｎｔｉｎｇ  Ｉｎｉｔｉａｔｉｏｎ  Ｒｅｑｕｅｓｔメッセージを新たに設定し、基地局にＭＢＭＳの計数プロセスの開始を通知する専門メッセージとする。なお、上記のＭＢＭＳ  Ｃｏｕｎｔｉｎｇ  Ｉｎｉｔｉａｔｉｏｎ情報を既存メッセージ、例えばＭＢＭＳ  Ｓｃｈｅｄｕｌｉｎｇ  Ｉｎｆｏｒｍａｔｉｏｎメッセージに配置することもできる。つまり、ＭＢＭＳ  Ｃｏｕｎｔｉｎｇ  Ｉｎｉｔｉａｔｉｏｎ情報を対応するメッセージに載せて基地局に送信できればよく、本発明においてそのメッセージのフォーマット及びタイプが限定されていない。新メッセージ、或いは既存のメッセージが、いずれもＭ２インターフェースに載せるべきである。本発明におけるＭＢＭＳ  Ｃｏｕｎｔｉｎｇ  Ｉｎｉｔｉａｔｉｏｎ情報の内容は表１に示すとおりである。
【表１】
2013543679.tif 000003
【００４３】
中には、Ｃｏｕｎｔｉｎｇ  ｐｒｏｃｅｄｕｒｅ  ｌｉｓｔ  （ｃｏｕｎｔｉｎｇプロセスの数量）について、ＭＢＭＳ  Ｃｏｕｎｔｉｎｇ  Ｉｎｉｔｉａｔｉｏｎ情報に複数の異なるｃｏｕｎｔｉｎｇプロセス（１，…ｍａｘｐｒｏｃｅｄｕｒｅ  Ｎｕｍｂｅｒ）を含むことができる。通常、常に一つのｃｏｕｎｔｉｎｇプロセスを配置することもでき、この場合、当該ＭＢＭＳ  Ｃｏｕｎｔｉｎｇ  Ｉｎｉｔｉａｔｉｏｎ情報に情報ユニットｃｏｕｎｔｉｎｇ  ｐｒｏｃｅｄｕｒｅ  ｌｉｓｔを含んでいない。
【００４４】
開始時間（ｓｔａｒｔ  ｔｉｍｅ）は、トリガー時間又はＭＣＣＨ更新時刻（ＭＣＣＨ  Ｕｐｄａｔｅ  Ｔｉｍｅ）とも呼ばれ、ｅＮＢが何時一つ又は複数のｃｏｕｎｔｉｎｇプロセスにおける幾つかのサービスのｃｏｕｎｔｉｎｇ指示情報をＭＣＣＨ情報に配置するかを示す。以下の方式の中のいずれかを用いることができる。
方式１：配置せずにデフォルトの配置を用いる。即ち、ＭＢＭＳ  Ｃｏｕｎｔｉｎｇ  Ｉｎｉｔｉａｔｉｏｎ情報に情報ユニット「ｓｔａｒｔ  ｔｉｍｅ」を含まなく、つまり、ｅＮＢはＭＣＥからのｃｏｕｎｔｉｎｇ要求（例えば、ＭＢＭＳ  Ｃｏｕｎｔｉｎｇ  Ｉｎｉｔｉａｔｉｏｎ  Ｒｅｑｕｅｓｔメッセージ）を受信した後、次の（又はデフォルトしたｎ回目の）ＭＣＣＨ修正周期のＭＣＣＨ更新時刻にてｃｏｕｎｔｉｎｇ指示をＭＣＣＨに配置する。
方式２：ＭＣＥが各ｃｏｕｎｔｉｎｇプロセスにそれぞれ一つの絶対時間を配置する。即ち、ｅＮＢがその後のＭＣＣＨ  ＭＰにおいて、あるｃｏｕｎｔｉｎｇプロセスのｃｏｕｎｔｉｎｇ指示をＭＣＣＨに配置する。異なるｃｏｕｎｔｉｎｇプロセスの開始時間は同一又は異なることができるが、一つのｃｏｕｎｔｉｎｇプロセスにおける全てのサービスの開始時間は同一である。
方式３：ＭＣＥが全てのｃｏｕｎｔｉｎｇプロセスに一つの絶対時間を配置する。即ち、ＭＢＭＳ  Ｃｏｕｎｔｉｎｇ  Ｉｎｉｔｉａｔｉｏｎ情報に一つの開始時間のみを配置し、ＭＢＭＳ  Ｃｏｕｎｔｉｎｇ  Ｉｎｉｔｉａｔｉｏｎ情報中の全てのｃｏｕｎｔｉｎｇプロセスに用いられ、つまり、ＭＢＭＳ  Ｃｏｕｎｔｉｎｇ  Ｉｎｉｔｉａｔｉｏｎ情報中の全てのｃｏｕｎｔｉｎｇプロセスに同一の開始時間を配置する。
【００４５】
継続時間（ｄｕｒａｔｉｏｎ  ｔｉｍｅ）は、ＭＣＥがｅＮＢに要求する一つのｃｏｕｎｔｉｎｇプロセス幾つかのサービスについて計数（ｃｏｕｎｔｉｎｇ）の必要のある継続時間長さ、即ち、ｅＮＢが一つ／一部のサービスについてｃｏｕｎｔｉｎｇを開始してからｃｏｕｎｔｉｎｇを終了するまでの時間の長さを示し、エアーインターフェース（Ｕｕインターフェース、ｅＮＢとＵＥとの間のインターフェース）では、ｅＮＢがＭＣＣＨ情報に一つ／一部のサービスのｃｏｕｎｔｉｎｇ指示を配置してからＭＣＣＨ情報から当該／一部のサービスのｃｏｕｎｔｉｎｇ指示を削除するまでの時間の長さを示す。総じて言えば、継続時間は前記ｃｏｕｎｔｉｎｇプロセスにけるステップ１の時間の長さ（即ち、ＭＣＣＨにサービスリストが終始配置されている時間）を示し、前記のｃｏｕｎｔｉｎｇプロセスにおけるステップ２とステップ３の時間の長さを含まない。
【００４６】
ＭＢＭＳ  Ｃｏｕｎｔｉｎｇ  Ｉｎｉｔｉａｔｉｏｎ情報に含まれる異なるｃｏｕｎｔｉｎｇプロセス（例えば、異なるＭＢＭＳに対するｃｏｕｎｔｉｎｇプロセス）に対応する継続時間は同一であってもよく、異なってもよいが、一つのｃｏｕｎｔｉｎｇプロセス内の全てのサービスの継続時間は必ず同一でなければならない。以下の方式の中のいずれかによって示すことができる。
方式１：配置しない。この場合、ＭＢＭＳ  Ｃｏｕｎｔｉｎｇ  Ｉｎｉｔｉａｔｉｏｎ情報には情報ユニット「継続時間」が含まれない。例えば、全てのｃｏｕｎｔｉｎｇプロセスに対応する継続時間は常に幾つかのＭＣＣＨ  ＭＰの長さ（例えば、Ｎ個のＭＣＣＨ  ＭＰに固定）を継続させることができる。
方式２：ＭＣＥが各ｃｏｕｎｔｉｎｇプロセスにそれぞれ一つの継続時間を配置する。例えば、一つのｃｏｕｎｔｉｎｇプロセスの継続時間は、幾つかのＭＣＣＨ  ＭＰを継続させるように配置される。
方式３：ＭＣＥが全てのｃｏｕｎｔｉｎｇプロセスに一つの継続時間を配置し、ＭＢＭＳ  Ｃｏｕｎｔｉｎｇ  Ｉｎｉｔｉａｔｉｏｎ情報中の全てのｃｏｕｎｔｉｎｇプロセスに用いられて、又は、ＭＢＭＳ  Ｃｏｕｎｔｉｎｇ  Ｉｎｉｔｉａｔｉｏｎ情報中の全てのｃｏｕｎｔｉｎｇプロセスの全てのサービスに同じ数の継続時間を配置する。
【００４７】
重複回数（Ｒｅｐｅｔｉｔｉｏｎ  Ｎｕｍｂｅｒ）は、ｃｏｕｎｔｉｎｇ数量（ｃｏｕｎｔｉｎｇ  Ｎｕｍｂｅｒ）とも呼ばれ、１回のＭ２  ＭＢＭＳ  Ｃｏｕｎｔｉｎｇ  Ｉｎｉｔｉａｔｉｏｎ  ｐｒｏｃｅｄｕｒｅに含まれる同一のｃｏｕｎｔｉｎｇプロセスの数を示す。
【００４８】
間隔時間（ｉｎｔｅｒｖａｌ  ｔｉｍｅ）は、ＭＣＥがｅＮＢに複数の同一のｃｏｕｎｔｉｎｇプロセスを配置した場合（即ち、重複回数が複数回である場合）、前のｃｏｕｎｔｉｎｇプロセスのステップ１が終了してから次のｃｏｕｎｔｉｎｇプロセスのステップ１を開始するまでの時間間隔を示す。間隔時間は以下のいずれかの方式で示すことができる。
方式１：各ｃｏｕｎｔｉｎｇプロセスに順にそれぞれ一つの間隔時間を配置する。
方式２：全てのｃｏｕｎｔｉｎｇプロセスに一つの間隔時間を配置し、つまり、ＭＢＭＳ  Ｃｏｕｎｔｉｎｇ  Ｉｎｉｔｉａｔｉｏｎ情報中の全てのｃｏｕｎｔｉｎｇプロセスに統一的に一つの間隔時間を配置する。
方式３：配置せずにデフォルトの配置を用いる。この場合、ＭＢＭＳ  Ｃｏｕｎｔｉｎｇ  Ｉｎｉｔｉａｔｉｏｎ情報は当該パラメータを含まない。例えば、間隔時間が常に０である、即ち、各ｃｏｕｎｔｉｎｇプロセスを連続的に配置して行うことができ、又は各ｃｏｕｎｔｉｎｇプロセス間の間隔を一つの固定された時間の長さに設定することができる。
【００４９】
ここで、一つのｃｏｕｎｔｉｎｇプロセスが重複して複数回配置され且つ間隔時間が０である場合、次のｃｏｕｎｔｉｎｇプロセスを前のｃｏｕｎｔｉｎｇプロセスを完成してから実行する必要がなく、前のｃｏｕｎｔｉｎｇプロセスのステップ１を完成してから次のｃｏｕｎｔｉｎｇプロセスのステップ１を開始してもよく、つまり、次のｃｏｕｎｔｉｎｇプロセスを開始する時、前のｃｏｕｎｔｉｎｇプロセスのステップ２又はステップ３を完成していなくてもよい。
【００５０】
ｍａｘＣｏｕｎｔｉｎｇ  Ｎｕｍｂｅｒは、ｃｏｕｎｔｉｎｇプロセスの最高数で、一つのＣｏｕｎｔｉｎｇ  Ｉｎｉｔｉａｔｉｏｎプロセスに一つのｃｏｕｎｔｉｎｇプロセスのみを配置できる場合、当該情報ユニットを必要としない。ｍａｘｎｏｏｆＳｅｒｖｉｃｅｆｏｒｃｏｕｎｔｉｎｇは、各ｃｏｕｎｔｉｎｇプロセスにおけるＭＢＭＳサービスの最高数で、つまり、ｅＮＢがＭＣＣＨ上に配置したサービスリストである。
【００５１】
ｅＮＢは、ＭＣＥにＭＢＭＳ  Ｃｏｕｎｔｉｎｇ  Ｉｎｉｔｉａｔｉｏｎ  ｒｅｓｐｏｎｓｅ／ｆａｉｌｕｒｅ情報を含むメッセージを送信する（ステップ３０２）。
【００５２】
ｅＮＢがＭＢＭＳ  Ｃｏｕｎｔｉｎｇ  Ｉｎｉｔｉａｔｉｏｎ情報を含む要求メッセージ（例えばＭＢＭＳ  Ｃｏｕｎｔｉｎｇ  Ｉｎｉｔｉａｔｉｏｎ  Ｒｅｑｕｅｓｔメッセージ）を実現できると、ＭＣＥにＭＢＭＳ  Ｃｏｕｎｔｉｎｇ  Ｉｎｉｔｉａｔｉｏｎ  ｒｅｓｐｏｎｓｅを含む確認メッセージを送信し、ｅＮＢが要求メッセージを実現できないと、ＭＣＥにＭＢＭＳ  Ｃｏｕｎｔｉｎｇ  Ｉｎｉｔｉａｔｉｏｎ  ｆａｉｌｕｒｅを含む失敗メッセージを送信する。また、ＭＢＭＳ  Ｃｏｕｎｔｉｎｇ  Ｉｎｉｔｉａｔｉｏｎ  ｒｅｓｐｏｎｓｅ／ｆａｉｌｕｒｅ情報を新しい応答メッセージ（例えば図３に示すＭＢＭＳ  Ｃｏｕｎｔｉｎｇ  Ｉｎｉｔｉａｔｉｏｎ  ｒｅｓｐｏｎｓｅ／ｆａｉｌｕｒｅメッセージ）に配置してもよく、既存の応答メッセージに配置してもよい。
【００５３】
ＭＣＥが、ｅＮＢからの確認メッセージを受信できないと、ｅＮＢが確認メッセージを送信するまで、ｅＮＢにｃｏｕｎｔｉｎｇを開始する要求メッセージを再び送信しなければならない。
【００５４】
実施例２
図４は、本発明に係わるＵｕインターフェースのｃｏｕｎｔｉｎｇ結果の報告を示すフローチャートで、図４に示すように、Ｕｕ  ＭＢＭＳ  ｃｏｕｎｔｉｎｇプロセス（エアーインターフェースのＭＢＭＳ  ｃｏｕｎｔｉｎｇプロセス）は具体的に以下のステップを含む。
【００５５】
ｅＮＢは、エアーインターフェースを介してｃｏｕｎｔｉｎｇ指示情報を送信する（ステップ４０１）（ｃｏｕｎｔｉｎｇプロセスのステップ１に対応する）。
【００５６】
ｅＮＢは、ＭＣＥのｃｏｕｎｔｉｎｇ開始メッセージを受信してＭＣＥに確認をフィードバックした後（即ち、Ｍ２  ＭＢＭＳ  Ｃｏｕｎｔｉｎｇ  Ｉｎｉｔｉａｔｉｏｎ  プロセスを完成した後）、ｅＮＢはエアーインターフェースを介してｃｏｕｎｔｉｎｇ指示情報を送信し（例えば、図４に示すように、当該ｃｏｕｎｔｉｎｇ指示情報はｃｏｕｎｔｉｎｇ  Ｒｅｑｕｅｓｔメッセージに載せられている）、ＵＥに対して、ｅＮＢへその興味のある又は受信中のＭＢＭＳサービスをフィードバックするように要求する。
【００５７】
Ｕｕ  ＭＢＭＳ  ｃｏｕｎｔｉｎｇプロセスは、上記のｃｏｕｎｔｉｎｇプロセスのステップ１とステップ２を示し、ステップ３を含んでいない。
【００５８】
当該ｃｏｕｎｔｉｎｇ指示情報はポイントツーマルチポイントの制御チャネルに載せられ、ポイントツーマルチポイント制御チャネルはＭＣＣＨ又はＢＣＣＨであってもよい。各ＭＢＭＳサービスはＴＭＧＩで示される。受信した各ｃｏｕｎｔｉｎｇプロセスについて、ｅＮＢはその要求された開始時間、継続時間、間隔時間、重複回数（即ち、ｃｏｕｎｔｉｎｇ数量）に基づいて、ＭＣＣＨに一つ又は複数のＭＢＭＳサービスのｃｏｕｎｔｉｎｇ指示情報を配置し、上記ＭＢＭＳサービスはＭＣＥによりＭＢＭＳ  ｃｏｕｎｔｉｎｇ要求を介してｅＮＢに送信される。
【００５９】
例えば、ＭＣＥが配置した当該ｃｏｕｎｔｉｎｇプロセスの開始時間に応じて、ｅＮＢはＭＣＣＨの変化時間において、ＭＣＣＨに一つのサービスリスト（即ち、ｃｏｕｎｔｉｎｇ指示情報）を配置し、「ｄｕｒａｔｉｏｎ  ｔｉｍｅ」時間の長さを継続させる。
【００６０】
ｅＮＢは、一つのｃｏｕｎｔｉｎｇプロセスの継続時間に達した後、ＭＣＣＨの更新時間において、当該ｃｏｕｎｔｉｎｇプロセスの全てのサービスのｃｏｕｎｔｉｎｇ指示を削除し、ＵＥがＭＣＣＨを読み取る場合、これらのサービスのｃｏｕｎｔｉｎｇ指示を読み取ることができないので、ｃｏｕｎｔｉｎｇに応答しない。
【００６１】
ＵＥは、ＭＣＣＨを読み取ってｃｏｕｎｔｉｎｇ指示を必要としているＴＭＧＩリストを取得し、ｅＮＢに興味のある又は受信中のＭＢＭＳサービスをフィードバックする（ステップ４０２）（ｃｏｕｎｔｉｎｇプロセスのステップ２に対応する）。
【００６２】
具体的に、ｃｏｕｎｔｉｎｇプロセスにおいて、ＭＣＣＨに配置されたサービスリストに「ｄｕｒａｔｉｏｎ  ｔｉｍｅ」が継続して現れ、ＵＥがＭＣＣＨを読み取って当該サービスリストを取得した後、興味のある又は受信中のＭＢＭＳサービスをフィードバックする。
【００６３】
実施例３
図５は、本発明に係わるＭ２インターフェースのｃｏｕｎｔｉｎｇ結果の報告を示すフローチャートで、図５に示すように、Ｍ２  ＭＢＭＳ  ｃｏｕｎｔｉｎｇ  Ｒｅｐｏｒｔプロセス（Ｍ２インターフェースのｃｏｕｎｔｉｎｇ結果報告プロセス、ｃｏｕｎｔｉｎｇプロセスのステップ３に対応する）は具体的に以下のステップを含む。
【００６４】
ｅＮＢは、ＭＣＥにＭＢＭＳ  ｃｏｕｎｔｉｎｇ  Ｒｅｐｏｒｔ情報を含むメッセージ（ＭＢＭＳ  ｃｏｕｎｔｉｎｇ  Ｒｅｐｏｒｔメッセージ）を送信する（ステップ５０１）。
【００６５】
ｅＮＢは、Ｕｕ  ＭＢＭＳ  ｃｏｕｎｔｉｎｇプロセスを完成した後、ＭＣＥにサービスの統計結果を報告する。ＭＣＥが統計結果を正確に受信できると、ｅＮＢに確認メッセージを送信し、そうでないと、失敗メッセージを送信する。
【００６６】
ＭＢＭＳ  ｃｏｕｎｔｉｎｇ  Ｒｅｐｏｒｔ情報は、一つｃｏｕｎｔｉｎｇプロセスの全てのサービスのｃｏｕｎｔｉｎｇ統計結果を含み、当該情報は一つ新メッセージに載せられてもよく、既存のメッセージに載せられてもよい。ｃｏｕｎｔｉｎｇ結果は以下の中のいずれかであることができる。
方式１：興味のある又は受信中のＵＥ数（例えば、サービス１のユーザ数、サービス２のユーザ数、……サービスＮのユーザ数）。
方式２：上記方式１を基に、ＵＥ数の最大値を特定し、即ち、ユーザ数が最大値を超える場合、最大値で報告し（当該方法は、報告オーバーヘッドを特定できるメリットを有し、ＵＥ数が最大値に達した場合、それ以上のユーザ数を報告することはあまり意味がないことである）。
方式３：興味のある又は受信中のＵＥ数を大体分類する。例えば、ユーザ数が少ない、ユーザ数量が通常である、ユーザ数が多い等に分類することができ、当該ｃｏｕｎｔｉｎｇ結果は粗末であるが、簡単であるので、報告オーバーヘッドが小さくなる。
【００６７】
ＭＣＥはｅＮＢにＭＢＭＳ  ｃｏｕｎｔｉｎｇ  Ｒｅｐｏｒｔ  ｒｅｓｐｏｎｓｅ／ｆａｉｌｕｒｅ情報を含むメッセージ（ＭＢＭＳ  ｃｏｕｎｔｉｎｇ  Ｒｅｐｏｒｔ  ｒｅｓｐｏｎｓｅ／ｆａｉｌｕｒｅメッセージ）を送信する（ステップ５０２）。
【００６８】
ＭＢＭＳ  ｃｏｕｎｔｉｎｇ  Ｒｅｐｏｒｔ  ｒｅｓｐｏｎｓｅ／ｆａｉｌｕｒｅ情報を新メッセージに載せてもよく、既存のメッセージに載せてもよい。具体的に、ＭＣＥがＭＢＭＳ  ｃｏｕｎｔｉｎｇ  Ｒｅｐｏｒｔ情報を含むメッセージを正確に受信すると、ＭＣＥはｅＮＢにＭＢＭＳ  ｃｏｕｎｔｉｎｇ  Ｒｅｐｏｒｔ  ｒｅｓｐｏｎｓｅ情報を含む確認メッセージをフィードバックし、そうでないと、ＭＢＭＳ  ｃｏｕｎｔｉｎｇ  Ｒｅｐｏｒｔ  ｆａｉｌｕｒｅを含む失敗メッセージをフィードバックする。
【００６９】
実施例４
図６は、本発明に係わるＭ２インターフェースのｃｏｕｎｔｉｎｇの更新を示すフローチャートで、図６に示すように、Ｍ２  ＭＢＭＳ  ｃｏｕｎｔｉｎｇ  Ｕｐｄａｔｅプロセス（Ｍ２インターフェースのｃｏｕｎｔｉｎｇ更新プロセス）は、一つ／一部のｃｏｕｎｔｉｎｇプロセスを更新することができ、幾つかのｃｏｕｎｔｉｎｇプロセス中のサービスリスト、開始時間、継続時間、重複回数、間隔時間等を追加又は削除することもできる。また、幾つかのｃｏｕｎｔｉｎｇプロセスの追加又は削除は、Ｍ２  ＭＢＭＳ  Ｃｏｕｎｔｉｎｇ  Ｉｎｉｔｉａｔｉｏｎ  ｐｒｏｃｅｄｕｒｅ、又はＭ２  ＭＢＭＳ  ｃｏｕｎｔｉｎｇ  ｓｔｏｐプロセスを再びトリガーすることによって実現することができる。
【００７０】
具体的には、以下のステップを含む。
ＭＣＥは、ｅＮＢにＭＢＭＳ  ｃｏｕｎｔｉｎｇ  Ｕｐｄａｔｅ情報の関連メッセージを送信する（ステップ６０１）。
【００７１】
当該ｃｏｕｎｔｉｎｇ更新情報を、新メッセージに載せてもよく、既存のメッセージ（例えば、ＭＢＭＳ  ｃｏｕｎｔｉｎｇ  Ｕｐｄａｔｅメッセージ）にのせてもよい。当該ｃｏｕｎｔｉｎｇ更新情報において、ＭＣＥは一つ／一部のｃｏｕｎｔｉｎｇプロセスを更新する必要があり、即ち、幾つかのｃｏｕｎｔｉｎｇプロセスを追加又は削除する必要があって、又は幾つかのｃｏｕｎｔｉｎｇプロセスの配置情報、例えば一つ又は一部のｃｏｕｎｔｉｎｇプロセスのサービスリスト、開始時間、継続時間、重複回数、間隔時間等を修正する必要がある。
【００７２】
例えば、あるｃｏｕｎｔｉｎｇプロセスについて、その中のサービスを追加又は減らすことができ、その中の時間パラメータ等を修正することもできる。
【００７３】
ｅＮＢは、ＭＣＥにＭＢＭＳ  ｃｏｕｎｔｉｎｇ  Ｕｐｄａｔｅ  ｒｅｓｐｏｎｓｅ情報の関連メッセージを送信する（ステップ６０２）。
【００７４】
ｅＮＢはｃｏｕｎｔｉｎｇ  Ｕｐｄａｔｅ要求を正確に受信して実行できた後、ＭＣＥにｃｏｕｎｔｉｎｇ  Ｕｐｄａｔｅ確認を送信し、ｅＮＢがｃｏｕｎｔｉｎｇ  Ｕｐｄａｔｅ要求を正確に受信できないと、ＭＣＥにＭＢＭＳ  ｃｏｕｎｔｉｎｇ  Ｕｐｄａｔｅ失敗を送信する。同様に、当該ｃｏｕｎｔｉｎｇ  Ｕｐｄａｔｅ確認／失敗情報を一つの情報ブロックとして新しい応答メッセージに配置することができ、既存の応答メッセージに配置することもできる。具体的に、ｃｏｕｎｔｉｎｇ  Ｕｐｄａｔｅ情報を新メッセージ、例えば、ＭＢＭＳ  ｃｏｕｎｔｉｎｇ  Ｕｐｄａｔｅメッセージ又はＭＢＭＳ  ｃｏｕｎｔｉｎｇ  Ｕｐｄａｔｅ  ｒｅｓｐｏｎｓｅ／ａｃｋｎｏｗｌｅｄｇｅメッセージに配置し、ＭＣＥにＭＢＭＳ  ｃｏｕｎｔｉｎｇ  Ｕｐｄａｔｅ  ｆａｉｌｕｒｅメッセージを送信する。
【００７５】
当該プロセスは実施例１におけるＭ２  ＭＢＭＳ  Ｃｏｕｎｔｉｎｇ  Ｉｎｉｔｉａｔｉｏｎプロセスと非常に類似している。つまり、ＭＣＥは、Ｍ２  ＭＢＭＳ  Ｃｏｕｎｔｉｎｇ  Ｉｎｉｔｉａｔｉｏｎプロセスを再びトリガーしてｃｏｕｎｔｉｎｇプロセスを再び配置することができる。
【００７６】
実施例５
一つのＣｏｕｎｔｉｎｇ  Ｉｎｉｔｉａｔｉｏｎプロセスにおいて、ＭＣＥは幾つかのｃｏｕｎｔｉｎｇ  プロセスを削除する（つまり停止する）ことができる。一つ／一部のｃｏｕｎｔｉｎｇプロセスを削除すると、当該／これらのｃｏｕｎｔｉｎｇプロセスにおける全てのサービスについてｃｏｕｎｔｉｎｇする必要がない。図７は、本発明に係わるＭ２インターフェースのｃｏｕｎｔｉｎｇの停止を示すフローチャートで、図７に示すように、Ｍ２  ＭＢＭＳ  ｃｏｕｎｔｉｎｇ  ｓｔｏｐプロセス（Ｍ２インターフェースのｃｏｕｎｔｉｎｇの停止プロセス）は以下のステップを含む。
【００７７】
ＭＣＥは、ｅＮＢにＭ２  ＭＢＭＳ  ｃｏｕｎｔｉｎｇ  ｓｔｏｐ情報を含むメッセージを送信する（ステップ７０１）。
【００７８】
当該一つ又は複数のｃｏｕｎｔｉｎｇプロセスを終了するための情報を新メッセージに載せてもよく、既存のメッセージに載せてもよい。ＭＣＥは一つのｃｏｕｎｔｉｎｇプロセスにおいて、又は幾つかの同一のｃｏｕｎｔｉｎｇプロセスの間、即ち、一つ又は複数の同一のｃｏｕｎｔｉｎｇプロセスにおける任意時間において、ｅＮＢにｃｏｕｎｔｉｎｇ停止コマンドを送信することができる。
【００７９】
ｅＮＢは、ＭＣＥにＭ２  ＭＢＭＳ  ｃｏｕｎｔｉｎｇ  ｓｔｏｐ  ｒｅｓｐｏｎｓｅ（ａｃｋｎｏｗｌｅｄｇｅ）／ｆａｉｌｕｒｅ情報を含むメッセージを送信する（ステップ７０２）。
【００８０】
当該ＭＢＭＳ  ｃｏｕｎｔｉｎｇ  ｓｔｏｐ  ｒｅｓｐｏｎｓｅ（ａｃｋｎｏｗｌｅｄｇｅ）／ｆａｉｌｕｒｅ情報を新メッセージに載せてもよく、既存のメッセージに載せてもよい。ｅＮＢが正確に受信した場合、ＭＣＥに確認メッセージを応答し、そうでないと、失敗メッセージを応答する。この場合、ｅＮＢはＭＣＣＨ  ＭＰの開始時刻において、ＭＣＣＨから上記サービスのｃｏｕｎｔｉｎｇ指示を削除し、上記サービスのｃｏｕｎｔｉｎｇ結果を統計しなく、ＭＣＥに統計結果を送信しない。
【００８１】
実施例６
以下、完全なｃｏｕｎｔｉｎｇプロセスを例として本発明の技術案を詳しく説明し、当該ｃｏｕｎｔｉｎｇプロセスは、ＭＣＥがｃｏｕｎｔｉｎｇを開始し、その後、ｅＮＢがＭＣＣＨにｃｏｕｎｔｉｎｇのサービスリストを配置し、最後にｃｏｕｎｔｉｎｇプロセスを完成するステップを含む。
【００８２】
具体的には、以下のステップを含む。
ＭＣＥは、ｅＮＢにＭＢＭＳ  Ｃｏｕｎｔｉｎｇ  Ｉｎｉｔｉａｔｉｏｎメッセージを送信する（ステップａ）。
【００８３】
ネットワーク側は、一つ又は複数のサービスについてどれほどのＵＥが興味を持っているか、又は受信中である（開始しているサービスについてどれほどのＵＥが受信中であるかを統計し、開始していないサービスについてどれほどのＵＥが興味を持っているかを統計する）かを統計する必要がある場合、ＭＣＥはｅＮＢにｃｏｕｎｔｉｎｇ開始メッセージを送信する。メッセージは、一つ又は複数のｃｏｕｎｔｉｎｇプロセスを含むことができ、各ｃｏｕｎｔｉｎｇプロセスは一つのサービスリスト、開始時間、継続時間、間隔時間、重複回数等を含む。
【００８４】
ｅＮＢは、ＭＣＥにＭＢＭＳ  Ｃｏｕｎｔｉｎｇ  Ｉｎｉｔｉａｔｉｏｎ  ｒｅｓｐｏｎｓｅメッセージを送信する（ステップｂ）。
【００８５】
ｅＮＢがｃｏｕｎｔｉｎｇ開始メッセージを正確に受信した場合、応答メッセージをフィードバックし、そうでないと、失敗メッセージをフィードバックする。
【００８６】
ｅＮＢがＭＣＥに失敗メッセージをフィードバックすると、ｅＮＢが正確に受信し成功メッセージをフィードバックするまでに、ＭＣＥはｅＮＢにＭＢＭＳ  Ｃｏｕｎｔｉｎｇ  Ｉｎｉｔｉａｔｉｏｎメッセージを再び送信しなければならない。
【００８７】
ｅＮＢは、その制御している全てのセルに対し、ＭＣＣＨにｃｏｕｎｔｉｎｇする必要のあるサービスリストを配置する（ステップｃ）。
【００８８】
所定の開始時間において、ｅＮＢはＭＣＣＨにｃｏｕｎｔｉｎｇのサービスリストを配置し、継続時間までに存在し続けて、各ｃｏｕｎｔｉｎｇプロセスはいずれも識別子（例えば、シーケンス番号）を有し、ＵＥは当該識別子に基づいて今回のｃｏｕｎｔｉｎｇプロセスにおける興味のある又は受信中のサービスをフィードバックする。
【００８９】
ｅＮＢは、ＭＣＥにＭＢＭＳ  ｃｏｕｎｔｉｎｇ  Ｒｅｐｏｒｔメッセージを送信する（ステップｄ）。
【００９０】
一つのｃｏｕｎｔｉｎｇプロセスを完成した後、ｅＮＢは、ＭＣＥに当該ｃｏｕｎｔｉｎｇプロセスの統計結果を報告する。
【００９１】
ＭＣＥは、ｅＮＢにＭＢＭＳ  ｃｏｕｎｔｉｎｇ  Ｒｅｐｏｒｔ  ａｃｋｎｏｗｌｅｄｇｅメッセージを送信する（ステップｅ）。
【００９２】
ＭＣＥが報告メッセージを正確に受信した場合、応答メッセージをフィードバックし、そうでないと、失敗メッセージをフィードバックする。
【００９３】
ｅＮＢがＭＣＥに失敗メッセージをフィードバックすると、ＭＣＥが正確に受信し成功メッセージをフィードバックするまで、ｅＮＢはＭＣＥにｃｏｕｎｔｉｎｇ報告メッセージを再び送信しなければならない。
【００９４】
ＭＣＥがＭＢＭＳ  Ｃｏｕｎｔｉｎｇ  Ｉｎｉｔｉａｔｉｏｎプロセスを介して一つのｃｏｕｎｔｉｎｇプロセスに複数回配置していて、また、当該ｃｏｕｎｔｉｎｇプロセスの全てのサービスについて、ＭＣＥが今回のｃｏｕｎｔｉｎｇ報告（他の要素であることもできる）に基づいてその後のｃｏｕｎｔｉｎｇプロセスを必要としないと判定する（即ち、当該ｃｏｕｎｔｉｎｇプロセス中の全てのサービスを計数する必要がなく、当該ｃｏｕｎｔｉｎｇプロセス中のサービスリストに一つのサービスのみであることもできる）と、ＭＣＥはｅＮＢにＭＢＭＳ  ｃｏｕｎｔｉｎｇ  ｓｔｏｐメッセージを送信する。当該ＭＢＭＳ  ｃｏｕｎｔｉｎｇ  ｓｔｏｐメッセージは一つ又は複数のｃｏｕｎｔｉｎｇプロセスを削除するためのものである。ｅＮＢはＭＣＥにＭＢＭＳ  ｃｏｕｎｔｉｎｇ  ｓｔｏｐ  ａｃｋｎｏｗｌｅｄｇｅメッセージを送信し、また、ＭＣＣＨに当該ｃｏｕｎｔｉｎｇプロセスを配置しなく、即ち、ＭＣＣＨには当該ｃｏｕｎｔｉｎｇプロセスにおける全てのサービスのｃｏｕｎｔｉｎｇ指示が含まれない。
【００９５】
又は当該ｃｏｕｎｔｉｎｇプロセス中の幾つかのサービスについて、ＭＣＥが今回のｃｏｕｎｔｉｎｇ報告（他の要素であることもできる）に基づいてその後のサービスが必要ではないと判定すると、ＭＣＥはｅＮＢにＭＢＭＳ  ｃｏｕｎｔｉｎｇ  Ｕｐｄａｔｅメッセージを送信し、当該メッセージは一つのｃｏｕｎｔｉｎｇプロセスにおける幾つかのサービスを削除することができ（当該ｃｏｕｎｔｉｎｇプロセスのサービスリストを調整することに相当）、ｃｏｕｎｔｉｎｇプロセス中の他の配置パラメータ（例えば、開始時間、継続時間、間隔時間、重複回数等）を新たに配置することができる。
【００９６】
ｅＮＢは、ＭＣＥにＭＢＭＳ  ｃｏｕｎｔｉｎｇ  Ｕｐｄａｔｅ  ａｃｋｎｏｗｌｅｄｇｅメッセージを送信し、ｅＮＢはＭＣＥに確認メッセージを応答し、ＭＣＣＨに当該ｃｏｕｎｔｉｎｇプロセスにおける幾つかのサービスを配置しなく、即ち、ＭＣＣＨには当該ｃｏｕｎｔｉｎｇプロセス中の一部のサービスのｃｏｕｎｔｉｎｇ指示が含まれない。
【００９７】
実施例７
図８は、本発明に係わるＭＢＭＳ  Ｃｏｕｎｔｉｎｇ  Ｉｎｉｔｉａｔｉｏｎ情報の送信を示す図であり、図８に示すように、本実施例におけるＭＢＭＳ  Ｃｏｕｎｔｉｎｇ  Ｉｎｉｔｉａｔｉｏｎ情報は一つの計数プロセスのみを含み、各計数プロセスは幾つかの計数報告プロセスを含む。当該計数プロセスは、少なくとも幾つかのサービスの計数指示を含み、各計数報告プロセスは幾つかのサービスの計数報告を含み、且つこれらのサービスは計数プロセスにおける一部又は全部のサービスである。
【００９８】
Ｍ２インターフェースにおけるＭＢＭＳ  サービスの計数開始プロセス（Ｍ２  ＭＢＭＳ  ｃｏｕｎｔｉｎｇ  ｓｔａｒｔ  ｐｒｏｃｅｄｕｒｅ）は、具体的には、以下のステップを含む。
【００９９】
ＭＣＥは、ｅＮＢにＭＢＭＳ  ｃｏｕｎｔｉｎｇ  ｓｔａｒｔ  Ｒｅｑｕｅｓｔメッセージを送信する（ステップＡ）。
【０１００】
ＭＣＥは、そのＭＢＳＦＮエリアにおける全てのｅＮＢにＭＢＭＳ  ｃｏｕｎｔｉｎｇ  ｓｔａｒｔ  Ｒｅｑｕｅｓｔ  メッセージを送信し、メッセージは、計数する必要の一つ又は複数のＭＢＭＳサービスを含み、上記サービスについて、ｃｏｕｎｔｉｎｇの開始時間（ｓｔａｒｔ  ｔｉｍｅ）、継続時間（ｄｕｒａｔｉｏｎ  ｔｉｍｅ）、報告時間（Ｒｅｐｏｒｔ  ｔｉｍｅ）の情報の中の一つ又は複数を含むことができる（含まなくてもよい）。
【０１０１】
当該メッセージに報告時間が含まれた場合、以下の「ＭＣＥがｅＮＢにＭＢＭＳ  ｃｏｕｎｔｉｎｇ  Ｒｅｐｏｒｔ  Ｒｅｑｕｅｓｔメッセージを送信する」ステップを行わなくてもよい。即ち、ＭＣＥは要求メッセージを介してｅＮＢに計数結果の報告を配置する必要がない。
【０１０２】
報告時間の配置方式は、｛サービス１、報告時間１；サービス２、報告時間２；…；サービスｎ、報告時間ｎ；｝であってもよく、統一的に、これらのサービスに一つの報告時間、即ち、｛報告時間；サービス１、サービス２、…、サービスｎ｝を配置してもよい。
【０１０３】
また、各サービスに複数の報告時間、例えば｛サービス１、報告時間１、報告時間２、…、報告時間ｋ｝を配置してもよく、ｅＮＢがこれらの報告時間においてＭＣＥに計数結果を報告することを示す。
【０１０４】
各サービスの報告時間又は全てのサービスの統一した報告時間に応じて、ｅＮＢはＭＣＥにＭＢＭＳ  ｃｏｕｎｔｉｎｇ  Ｒｅｐｏｒｔ  ｒｅｓｐｏｎｓｅメッセージを送信する。
【０１０５】
ｅＮＢはＭＣＥにＭＢＭＳ  ｃｏｕｎｔｉｎｇ  ｓｔａｒｔ  ｒｅｓｐｏｎｓｅメッセージを送信する（ステップＢ）。
【０１０６】
ｅＮＢは、ＭＢＭＳ  ｃｏｕｎｔｉｎｇ  ｓｔａｒｔ  Ｒｅｑｕｅｓｔメッセージを受信し、且つエアーインターフェースに上記サービスのｃｏｕｎｔｉｎｇ指示及び関連情報を配置できる場合、ｅＮＢはＭＣＥにＭＢＭＳ  ｃｏｕｎｔｉｎｇ  ｓｔａｒｔ  ｒｅｓｐｏｎｓｅメッセージをフィードバックする。
【０１０７】
ｅＮＢはＭＣＣＨに上記サービスのｃｏｕｎｔｉｎｇ指示を配置する（ステップＣ）。
ステップＣを、ステップＢを実行する前に行ってもよく、同時に行ってもよい。
【０１０８】
当該ステップにおいて、ｅＮＢはステップ１にて配置されたｃｏｕｎｔｉｎｇ開始時間により指示されるＭＣＣＨの修正周期に基づいて、ＭＣＣＨの更新時間において、上記サービスリストをＭＣＣＨに配置する。ステップＡにてｃｏｕｎｔｉｎｇ開始時間を配置していない場合、次のＭＣＣＨの修正周期のＭＣＣＨの更新時間で、上記サービスリストをＭＣＣＨに配置する。
【０１０９】
当該ステップにおいて、ｅＮＢはステップＡで配置されたｃｏｕｎｔｉｎｇ継続時間に応じて、ＭＣＣＨにずっと上記サービスのリストを配置する。ステップＡにてｃｏｕｎｔｉｎｇ継続時間を配置していない場合、ＭＣＣＨにずっと上記サービスのリストを配置する。
【０１１０】
ＵＥは、ＭＣＣＨメッセージを読み取って、ｅＮＢに興味のある及び／又は受信中のＭＢＭＳサービスを報告する（ステップＤ）。
【０１１１】
当該ステップをステップＣの後に実行する。ｅＮＢに制御されるセルにおいてＵＥはＭＣＣＨメッセージを読み取って、ＭＣＣＨメッセージに配置されたｃｏｕｎｔｉｎｇする必要のあるサービスリストに基づいて、ｅＮＢに興味のある及び／又は受信中のＭＢＭＳサービスを報告する。
【０１１２】
ＭＣＣＨメッセージにおける計数用の各サービスは、異なるステップＤを区別するための計数マーク（例えば、シーケンス番号ＳＮ、即ち、ｓｅｒｉａｌ  ｎｕｍｂｅｒ又はｓｅｑｕｅｎｃｅ  ｎｕｍｂｅｒ）を含むことができる。
【０１１３】
例えば、一つのＵＥがＭＣＣＨを読み取り、当該ＭＣＣＨにおけるｃｏｕｎｔｉｎｇ用のサービスリストが｛サービス１、ＳＮ１｝、｛サービス２、ＳＮ２｝、｛サービス３、ＳＮ３｝、…、｛サービスｎ、ＳＮｎ｝と表されていると、ＵＥは、各サービスの計数マークＳＮについて、計数結果を１回のみ報告し、ｅＮＢが一つのＵＥの計数結果を重複して統計することを防止し、ＵＥが複数回報告することに起因するアップリンクシグナルオーバーヘッドを減らすことができる。
【０１１４】
Ｍ２インターフェースにおけるＭＢＭＳサービスのｃｏｕｎｔｉｎｇ報告プロセス（Ｍ２  ＭＢＭＳ  ｃｏｕｎｔｉｎｇ  Ｒｅｐｏｒｔ  ｐｒｏｃｅｄｕｒｅ）は、具体的に以下のステップを含む。
【０１１５】
ＭＣＥ  ｅＮＢがＭＢＭＳ  ｃｏｕｎｔｉｎｇ  Ｒｅｐｏｒｔ  Ｒｅｑｕｅｓｔメッセージを送信する（ステップＡ１）。
【０１１６】
ＭＣＥ  ｅＮＢが送信したＭＢＭＳ  ｃｏｕｎｔｉｎｇ  ｓｔａｒｔ  Ｒｅｑｕｅｓｔメッセージに「報告時間Ｒｅｐｏｒｔ  ｔｉｍｅ」が含まれていると、当該ステップを行う必要がない。
【０１１７】
ＭＣＥはＭＢＳＦＮエリアの全てのｅＮＢにＭＢＭＳ  ｃｏｕｎｔｉｎｇ  Ｒｅｐｏｒｔ  Ｒｅｑｕｅｓｔ  メッセージを送信する。メッセージは、計数結果を報告する必要のある一つ又は複数のＭＢＭＳサービスを含む（含まなくてもよい）。これらの計数を報告する幾つかのＭＢＭＳサービスはＭＢＭＳサービスのｃｏｕｎｔｉｎｇ開始プロセスで配置した一部又は全部であってもよい。また、計数結果を報告する時刻（ｒｅｐｏｒｔ  ｔｉｍｅ）（つまり、どのＭＣＣＨ修正周期が終了した後にｃｏｕｎｔｉｎｇ結果を報告するか）をさらに含むことができ（含まなくてもよい）、これらの結果を報告したサービスの更新後の計数マーク（ＳＮ）をさらに含むことができる（又は含まなくてもよい）。
【０１１８】
当該メッセージに計数結果を報告するＭＢＭＳサービスリストが含まれていない場合、ＭＣＥがｅＮＢに「ＭＢＭＳ  サービスｃｏｕｎｔｉｎｇ開始プロセス」に配置した全てのサービスを報告することを要求していることを示す。
【０１１９】
当該メッセージに「Ｒｅｐｏｒｔ  ｔｉｍｅ」が含まれていない場合、即ち、デフォルトの報告時間を用いると、ｅＮＢが当該要求メッセージを受信した後、次のＭＣＣＨ修正周期のＭＣＣＨの更新時間において、当該メッセージにおける前記サービスの計数結果を統計し、ＭＣＥに報告する。
【０１２０】
当該メッセージに各サービスの「更新後の計数マーク」が含まれている場合、ＵＥが計数結果を再びｅＮＢに報告する必要がないことを示す。つまり、ＵＥは、ＭＣＣＨ上の一つのサービスの計数マークに基づいて、一つのサービスの計数マークに対し当該サービスの計数結果をｅＮＢに一回のみ報告することを示す。
【０１２１】
ｅＮＢはＭＣＥにＭＢＭＳ  ｃｏｕｎｔｉｎｇ  Ｒｅｐｏｒｔ  ｒｅｓｐｏｎｓｅメッセージを送信する（ステップＢ１）。
【０１２２】
ｅＮＢは、「ＭＢＭＳ  ｃｏｕｎｔｉｎｇ  Ｒｅｐｏｒｔ  Ｒｅｑｕｅｓｔメッセージ」に指定された報告時間「Ｒｅｐｏｒｔ  ｔｉｍｅ」（当該報告時間はデフォルトの報告時間であることができる）に基づいて、又は「ＭＣＥがｅＮＢに送信したＭＢＭＳ  ｃｏｕｎｔｉｎｇ  ｓｔａｒｔ  Ｒｅｑｕｅｓｔメッセージ」に配置された報告時間に基づいて、「ＭＢＭＳ  ｃｏｕｎｔｉｎｇ  Ｒｅｐｏｒｔ  Ｒｅｑｕｅｓｔメッセージ」における前記サービスの計数結果を統計し、即ち、指定された報告時間において計数結果をＭＣＥに報告する。
【０１２３】
これらの結果を報告したサービスの計数マーク（ＳＮ）を更新しなくてもよく、また、これらの結果を報告したサービスの計数マーク（ＳＮ）を同時に新計数マーク（例えば、ＳＮ＋１）に更新してもよい。当該ＭＣＣＨで幾つかのサービスの計数マークを更新した時刻は必ずＭＣＣＨ更新時間内である。つまり、ステップ１に指定された報告時間において、ｅＮＢはＭＣＥにこれらのサービスの計数結果を報告すると共に、ＭＣＣＨの更新時間においてこれらのサービスの計数マークを更新し、これによって、ＵＥがＭＣＣＨを読み取った後、これらのサービスの新計数マークを取得することができ、また、興味のある及び／又は受信中のサービスを再び報告する必要があって、つまり、ＵＥにとって、新しい計数となる。
【０１２４】
例えば、ＵＥが読み取ったＭＣＣＨのｃｏｕｎｔｉｎｇのサービスリストが｛サービス１、ＳＮ１｝、｛サービス２、ＳＮ２｝、｛サービス３、ＳＮ３｝、…、｛サービスｎ、ＳＮｎ｝であって、ＵＥは興味のある及び／又は受信中のサービスを１回報告する。ｅＮＢは、ＭＣＥに統計結果を１回報告した後、ＭＣＣＨ修正周期においてＭＣＣＨの内容を更新し、更新された計数マークは｛サービス１、ＳＮ１＋１｝、｛サービス２、ＳＮ２＋１｝、｛サービス３、ＳＮ３＋１｝、…、｛サービスｎ、ＳＮｎ＋１｝であって、この場合、ＵＥは再びＭＣＣＨを読み取った後、これらのサービスの計数マークが既に更新されたことを発見し、ＵＥは興味のある及び／又は受信中のサービスを再び報告しなければならない。
【０１２５】
ＭＣＥは、上記の計数報告プロセスに基づいて、一つ又は複数のサービスのｃｏｕｎｔｉｎｇをアクティブ／非アクティブにすると判定した後、ＭＣＥはｅＮＢに対しこれらのサービスのｃｏｕｎｔｉｎｇ要求を削除することができる。
【０１２６】
Ｍ２インターフェースにおけるＭＢＭＳ  サービスのｃｏｕｎｔｉｎｇ終了プロセス（Ｍ２  ＭＢＭＳ  ｃｏｕｎｔｉｎｇ  ｓｔｏｐ  ｐｒｏｃｅｄｕｒｅ）は具体的に以下のステップを含む。
【０１２７】
ＭＣＥは、ｅＮＢにＭＢＭＳ  ｃｏｕｎｔｉｎｇ  ｓｔｏｐメッセージを送信する（ステップＡ２）。
【０１２８】
メッセージに、元にＭＣＣＨに配置されたｃｏｕｎｔｉｎｇ用のサービスリストにおける幾つかのサービスが含まれ、ＵＥが、これらのサービスについて計数結果を報告する必要がないことを示す。
【０１２９】
ｅＮＢは、ＭＣＥにＭＢＭＳ  ｃｏｕｎｔｉｎｇ  ｓｔｏｐ  ａｃｋｎｏｗｌｅｄｇｅメッセージを送信する（ステップＢ２）。
【０１３０】
ｅＮＢは、ステップＡ２の要求メッセージを受信した後、ＭＣＥに確認メッセージを送信する。
【０１３１】
ｅＮＢは、ＭＣＣＨから幾つかのサービスの計数指示及びその関連情報を削除する（ステップＣ３）。
【０１３２】
「Ｍ２インターフェースにおけるＭＢＭＳ  サービスのｃｏｕｎｔｉｎｇ開始プロセス」に幾つかのサービスの継続時間が含まれた場合、これらのサービスについて、ステップＡ２とステップＢ２を行う必要がないと、当該／これらのサービスの継続時間に到達した後、直接当該ステップＣ３を実行する。
【０１３３】
「ＭＢＭＳ  ｃｏｕｎｔｉｎｇ  ｓｔｏｐメッセージ」に配置された幾つかのサービスリストに基づいて、又は、「Ｍ２インターフェース上のＭＢＭＳ  サービスのｃｏｕｎｔｉｎｇ開始プロセス」に幾つかのサービスの継続時間が含まれ且つ継続時間になると、ｅＮＢはＭＣＣＨの更新時間において、ＭＣＣＨ内容を修正し、つまり、これらのサービスのｃｏｕｎｔｉｎｇ指示及び関連情報を削除する。
【０１３４】
当該ステップをステップＢ２と同時に行ってもよく、その前に行ってもよいが、ステップＡ２の後、即ち、ｅＮＢが計数停止メッセージを受信した後すぐ当該ステップを行うことができる。
【０１３５】
例えば、「ＭＣＥがｅＮＢにＭＢＭＳ  ｃｏｕｎｔｉｎｇ  ｓｔａｒｔ  Ｒｅｑｕｅｓｔメッセージを送信した」後、ｅＮＢがＭＣＣＨに配置したｃｏｕｎｔｉｎｇ用のサービスが、｛サービス１、関連情報１｝、｛サービス２、関連情報２｝、｛サービス３、関連情報３｝、…、｛サービスｎ、関連情報ｎ｝であると、これらの関連情報は、開始時間、継続時間、報告時間等であってもよい。
【０１３６】
「ＭＣＥがｅＮＢにＭＢＭＳ  ｃｏｕｎｔｉｎｇ  ｓｔｏｐメッセージを送信し」且つサービス２（サービス２についてＵＥが報告する必要がない、即ち、ｅＮＢがサービス２の計数結果を統計する必要がないことを示す）を含み、ｅＮＢがＭＣＣＨに配置したｃｏｕｎｔｉｎｇ用のサービスが、｛サービス１、関連情報１｝、｛｛サービス３、関連情報３｝、…、｛サービスｎ、関連情報ｎ｝であると、ＵＥがＭＣＣＨを読み取った後に報告した計数結果にサービス２が含まれない。
【０１３７】
Ｍ２インターフェースにおけるＭＢＭＳ  サービスのｃｏｕｎｔｉｎｇ更新プロセス（Ｍ２  ＭＢＭＳ  ｃｏｕｎｔｉｎｇ  Ｕｐｄａｔｅ  ｐｒｏｃｅｄｕｒｅ）は「Ｍ２インターフェース上のＭＢＭＳ  サービスのｃｏｕｎｔｉｎｇ開始プロセス」に類似し、つまり、Ｍ２インターフェース上のＭＢＭＳ  サービスのｃｏｕｎｔｉｎｇ開始プロセスを介して各サービスの計数指示及び関連情報（関連情報は、開始時間、継続時間、報告時間等を含む）を配置することができる。
【０１３８】
図９は、本発明に係わるマルチメディア放送／同報サービス計数システムの構成を示す図で、図９に示すように、本発明によるマルチメディア放送／同報サービス計数システムは、接收ユニット９０と、第１の送信ユニット９１と、報告ユニット９２と、を含み、接收ユニット９０、第１の送信ユニット９１と報告ユニット９２はいずれも基地局に設置される。
【０１３９】
接收ユニット９０は、ネットワーク側から送信されたＭＢＭＳ計数指示情報を受信し、ＵＥから報告されたＭＢＭＳ計数結果を受信する。
【０１４０】
送信ユニット９１は、エアーインターフェースを介してＵＥに前記ＭＢＭＳ計数指示情報を送信する。
【０１４１】
報告ユニット９２は、受信したＵＥから報告されたＭＢＭＳ計数結果に基づいて、ネットワーク側にＭＢＭＳの計数情報を報告する。
【０１４２】
上記ネットワーク側は、Ｍ２インターフェースを介して基地局にＭＢＭＳ  Ｃｏｕｎｔｉｎｇ  Ｉｎｉｔｉａｔｉｏｎ情報を送信し、前記ＭＢＭＳ  Ｃｏｕｎｔｉｎｇ  Ｉｎｉｔｉａｔｉｏｎ情報はＭＢＭＳリストと、開始時間、継続時間、間隔時間、重複回数の中の少なくとも一つと、を含む。
【０１４３】
上記ネットワーク側は、Ｍ２インターフェースを介して基地局にＭＢＭＳ  Ｃｏｕｎｔｉｎｇ  Ｉｎｉｔｉａｔｉｏｎ情報を送信し、前記ＭＢＭＳ  Ｃｏｕｎｔｉｎｇ  Ｉｎｉｔｉａｔｉｏｎ情報はＭＢＭＳリストと、開始時間、継続時間、報告時間の中の少なくとも一つと、を含む。
【０１４４】
上記ＭＢＭＳ  Ｃｏｕｎｔｉｎｇ  Ｉｎｉｔｉａｔｉｏｎ情報は、少なくとも一つのＭＢＭＳに対する一つの計数プロセスを含み、各計数プロセスは少なくとも一つの計数報告プロセスを含む。
【０１４５】
上記ＭＢＭＳ  Ｃｏｕｎｔｉｎｇ  Ｉｎｉｔｉａｔｉｏｎ情報は、少なくとも一つのＭＢＭＳに対する一つの計数プロセスを含み、各計数プロセスは少なくとも一つの計数報告プロセスを含む。
【０１４６】
上記ＭＢＭＳリストは、少なくとも一つのＭＢＭＳサービスを含み、前記ＭＢＭＳ計数指示情報は少なくとも一つの計数プロセスを含む。
【０１４７】
図９に示すシステムに基づいて、本発明によるマルチメディア放送／同報サービス計数システムは、ネットワーク側に設置される確定ユニット（図示していない）と第２の送信ユニット（図示していない）と、をさらに含み、中には、確定ユニットは、ＭＢＭＳ計数指示情報に二つ以上のＭＢＭＳ計数プロセスを含まれる場合、前記二つ以上のＭＢＭＳ計数プロセス中の実行していないＭＢＭＳ計数プロセスを停止すると確定した場合、第２の送信ユニットをトリガーし、第２の送信ユニットは、基地局に実行していないＭＢＭＳ計数プロセスに対する停止メッセージを送信する。
【０１４８】
上記確定ユニットは、また、ＭＢＭＳ計数指示情報に二つ以上のＭＢＭＳ計数プロセスが含まれた場合、前記二つ以上のＭＢＭＳ計数プロセス中の実行していないＭＢＭＳ計数プロセスを更新すると確定した場合、前記第２の送信ユニットをトリガーして基地局に実行していないＭＢＭＳ計数プロセスに対する更新メッセージを送信する。
【０１４９】
当業者であれば、図９に示すマルチメディア放送及び同報サービス係数システムは上記のマルチメディア放送／同報サービス計数方法を実現するためのもので、上記各処理ユニットの機能については上記の実施例３に記載の関連説明を参照して理解することができる。図に示す各処理ユニットの機能はプロセッサで運行するプログラムによって実現でき、具体的な論理回路によって実現することもできる。
【０１５０】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2013543679.tif 000004
【図２】
2013543679.tif 000005
【図３】
2013543679.tif 000006
【図４】
2013543679.tif 000007
【図５】
2013543679.tif 000008
【図６】
2013543679.tif 000009
【図７】
2013543679.tif 000010
【図８】
2013543679.tif 000011
【図９】
2013543679.tif 000012
【国際調査報告】
2013543679.tif 000013
2013543679.tif 000014
2013543679.tif 000015
2013543679.tif 000016